【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
所望の放送波を受信復調するデジタル受信復調部と、
前記デジタル受信復調部の出力から映像信号を再生する映像デコード部と、
前記映像デコード部の出力を表示する映像表示デバイスと、
前記デジタル受信復調部の出力から音声信号を再生する音声デコード部と、
前記音声デコード部の出力を出力する音声提示デバイスと、
デジタル放送の映像の出力を設定する操作部と、
前記映像デコード部と前記映像表示デバイスの動作を制御する制御部とで構成され、
前記制御部は、前記操作部で音声のみを再生するよう選択された場合には、前記映像デコード部と、前記映像表示デバイスの動作を停止するように制御することを特徴とする携帯デジタル放送受信装置。
【請求項２】
所望の放送波を受信復調するデジタル受信復調部と、
前記デジタル受信復調部の出力から映像信号を再生する映像デコード部と、
前記映像デコード部の出力を表示する映像表示デバイスと、
前記デジタル受信復調部の出力から音声信号を再生する音声デコード部と、
前記音声デコード部の出力を出力する音声提示デバイスと、
デジタル放送の映像の出力設定する操作部と、
前記映像デコード部と前記映像表示デバイスの動作を制御する制御部とで構成され、
前記制御部は、前記操作部で音声のみを再生するよう選択された場合には、前記映像デコード部の動作を停止するように制御し、前記映像表示デバイスには待機画像を映すよう制御することを特徴とする携帯デジタル放送受信装置。
【請求項３】
所望の放送波を受信復調するデジタル受信復調部と、
前記デジタル受信復調部の出力から映像信号を再生する映像デコード部と、
前記映像デコード部の出力を表示する映像表示デバイスと、
前記デジタル受信復調部の出力から音声信号を再生する音声デコード部と、
前記音声デコード部の出力を出力する音声提示デバイスと、
デジタル放送の音声の出力を設定する操作部と、
前記音声デコード部の動作を制御する制御部とで構成され、
前記制御部は、前記操作部で映像のみを再生するよう選択された場合には、前記音声デコード部の動作を停止するように制御することを特徴とする携帯デジタル放送受信装置。
【請求項４】
所望の放送波を受信復調するデジタル受信復調部と、
前記デジタル受信復調部の出力から映像信号を再生する映像デコード部と、
前記映像デコード部の出力を表示する映像表示デバイスと、
前記デジタル受信復調部の出力から音声信号を再生する音声デコード部と、
前記音声デコード部の出力を出力する音声提示デバイスと、
携帯デジタル放送受信装置にイヤホンが差し込まれているか否かを検出するイヤホン差込検出部とで構成され、
前記イヤホン差込検出部の判定により
前記音声デコード部の動作を制御することを特徴とする携帯デジタル放送受信装置。
【請求項５】
所望の放送波を受信復調するデジタル受信復調部と、
前記デジタル受信復調部の出力から映像信号を再生する映像デコード部と、
前記映像デコード部の出力を表示する映像表示デバイスと、
前記デジタル受信復調部の出力から音声信号を再生する音声デコード部と、
前記音声デコード部の出力を出力する音声提示デバイスと、
携帯デジタル放送受信装置の形態を検出する形態検出部とで構成され、  前記形態検出部における検出により、前記映像デコード部と前記映像表示デバイスの動作を制御することを特徴とする携帯デジタル放送受信装置。
【請求項６】
前記形態検出部における検出により、さらに前記デジタル受信復調部と、前記音声デコード部の動作を制御することを特徴とする請求項５記載の携帯デジタル放送受信装置。
【請求項７】
サブ映像表示デバイスを持ち、
前記制御部が、前記形態検出部における検出により、前記映像デコード部からの出力を前記サブ映像表示デバイスに映すよう制御することを特徴とする請求項５または６記載の携帯デジタル放送受信装置。
【請求項８】
前記映像デコード部のデコードを制御するダウンデコード制御部を持ち、
前記ダウンデコード制御部は、前記形態検出部における検出により、前記映像デコード部にダウンデコードを行うよう制御することを特徴とする請求項７記載の携帯デジタル放送受信装置。
【請求項９】
所望の放送波を受信復調するデジタル受信復調部と、
前記デジタル受信復調部の出力から映像信号を再生する映像デコード部と、
前記映像デコード部の出力を表示する映像表示デバイスと、
前記デジタル受信復調部の出力から音声信号を再生する音声デコード部と、
前記音声デコード部の出力を出力する音声提示デバイスと、
前記映像デコード部のデコードを制御するダウンデコード制御部と、
前記デジタル受信復調部と前記映像デコード部と前記映像表示デバイスと前記音声デコード部と前記音声提示デバイスと前記ダウンデコード制御部に電力を供給する電池の残量を検出する電池残量検出部とで構成され、
前記電池残量検出部で電池の残量がある閾値以下であると判定されると、前記ダウンデコード制御部は、前記映像デコード部にダウンデコードを行うよう制御することを特徴とする携帯デジタル放送受信装置。
【請求項１０】
所望の放送波を受信復調するデジタル受信復調部と、
前記デジタル受信復調部の出力から映像信号を再生する映像デコード部と、
前記映像デコード部の出力を表示する映像表示デバイスと、
前記デジタル受信復調部の出力から音声信号を再生する音声デコード部と、
前記音声デコード部の出力を出力する音声提示デバイスとで構成され、
メール、インターネット、電話の通信機能と、
ゲーム機能を有し、
前記通信機能やゲーム機能に関する操作が行われた時に、前記映像デコード部の動作を停止し、
前記通信機能やゲーム機能に関する画像を前記映像表示デバイスに表示することを特徴とする携帯デジタル放送受信装置。
【請求項１１】
放送受信機能の動作状態を表示する表示手段を有することを特徴とする請求項１〜６、９、１０いずれか１項に記載の携帯デジタル放送受信装置。
【請求項１２】
放送受信機の前記映像デコード部と、前記映像表示デバイスと、前記音声デコード部の回路動作の状態を表示させる表示手段を有したことを特徴とする請求項１〜６、９、１０いずれか１項に記載の携帯デジタル放送受信装置。
【請求項１３】
映像信号と音声信号を含む伝送ストリームを再生する再生装置であって、
前記映像信号をデコードする映像デコード部と、
前記音声信号をデコードする音声デコード部と、
制御情報に基づいて前記映像デコード部と前記音声デコード部のいずれか一方または両方の動作を停止する制御部とを備えた再生装置。
【請求項１４】
前記制御情報は、少なくとも音声モード及び映像モードを含む再生モードを示す制御信号を含み、
前記制御部は、前記制御信号が映像モードを示す場合は前記音声デコード部の動作を停止させ、前記制御信号が音声モードを示す場合は前記映像デコード部の動作を停止させる請求項１３記載の再生装置。
【請求項１５】
前記再生装置は、
前記デコードされた映像信号を表示する映像表示デバイスと、
前記デコードされた音声信号を出力する音声提示デバイスとをさらに備えた請求項１３記載の再生装置。
【請求項１６】
前記制御情報は、少なくとも音声モード及び映像モードを含む再生モードを示す制御信号を含み、
前記制御部は、前記制御信号が映像モードを示す場合は前記音声デコード部及び音声提示デバイスの動作を停止させ、前記制御信号が音声モードを示す場合は前記映像デコード部及び映像表示デバイスの動作を停止させる請求項１５記載の再生装置。
【請求項１７】
前記再生装置は、前記再生装置の形態を検出する形態検出部をさらに備え、
前記制御情報は、前記形態検出部における検出結果を含む請求項１３記載の再生装置。
【請求項１８】
前記制御部は、前記形態検出部において前記再生装置が折りたたまれた状態であることが検出されると、前記映像デコード部及び前記音声デコード部の動作を停止する請求項１７記載の再生装置。
【請求項１９】
前記制御部は、前記形態検出部において前記再生装置の一部が回転した状態であることが検出されると、前記映像デコード部及び前記音声デコード部の動作を停止する請求項１７記載の再生装置。
【手続補正２】
【補正対象書類名】明細書
【補正対象項目名】発明の名称
【補正方法】変更
【補正の内容】
【発明の名称】携帯デジタル放送受信装置及び再生装置